(57)【要約】【課題】この発明は、記録装置に記録したデータ放送用データに基づいてデータ放送番組のサービスを実行する場合に、データ放送用データが一定期間以上受信されなくなっても、当該データ放送番組のサービスを継続して実行させることができるデータ放送対応受信機を提供することを目的とする。【解決手段】データ放送番組のサービスを実行する機能を備えたデータ放送対応受信機において、記録装置からデータ放送用データを受信し、受信したデータ放送用データに基づいて当該データ放送番組のサービスを実行する場合に、データ放送用データが一定期間以上受信されなくなっても、当該データ放送番組のサービスを継続して実行させることを可能とする手段を備えている。【選択図】  図１
2004153697.tif 000002
【特許請求の範囲】
【請求項１】
データ放送番組のサービスを実行する機能を備えたデータ放送対応受信機において、
記録装置からデータ放送用データを受信し、受信したデータ放送用データに基づいて当該データ放送番組のサービスを実行する場合に、データ放送用データが一定期間以上受信されなくなっても、当該データ放送番組のサービスを継続して実行させることを可能とする手段を備えていることを特徴とするデータ放送対応受信機。
【請求項２】
記録装置からデータ放送用データを受信してモジュール格納メモリに格納する際に、受信したデータ放送用データから、当該データ放送番組データを構成する全コンポーネントに対応するモジュールを、重複しないように抽出してモジュール格納メモリに格納する手段、ならびに当該データ放送番組データを構成する全コンポーネントに対応するモジュールをモジュール格納メモリに格納したときに、記録装置の再生動作を停止させる手段を備えていることを特徴とする請求項１に記載のデータ放送対応受信機。
【請求項３】
記録装置からデータ放送用データを受信してモジュール格納メモリに格納する際に、受信したデータ放送用データから、当該データ放送番組を構成するコンポーネントに対応するモジュールのうち、特定の１または複数のモジュールを抽出してモジュール格納メモリに格納する第１のモジュール抽出手段、上記特定の１または複数のモジュールをモジュール格納メモリに格納したときに、記録装置の再生動作を停止させる手段、モジュール格納メモリに格納されたモジュール以外の１または複数のモジュールが必要なときに、記録装置の再生動作を再開させて、当該必要な１または複数のモジュールの抽出およびモジュール格納メモリへの格納処理を行う第２のモジュール抽出手段、ならびに当該必要な１または複数のモジュールの抽出およびモジュール格納メモリへの格納が完了したときに、記録装置の再生動作を停止させる手段を備えていることを特徴とする請求項１に記載のデータ放送対応受信機。
【請求項４】
上記第２のモジュール抽出手段は、再生中の番組の記録期間が終了したときには、上記特定の１または複数のモジュールを抽出するための再生開始位置に戻って再生を再開させる手段を備えていることを特徴とする請求項３に記載のデータ放送対応受信機。
【請求項５】
上記特定の１または複数のモジュールは、当該データ放送番組の初期画面を提示させるために必要なモジュールであることを特徴とする請求項３および４のいずれかに記載のデータ放送対応受信機。
【発明の詳細な説明】
【０００１】
【発明の属する技術分野】
この発明は、データ放送対応受信機に関する。
【０００２】
【従来の技術】
現在、ＢＳデジタル放送、１１０度ＣＳデジタル放送では、ゲーム等のデータ放送サービスが行われている。視聴者は、オンエアの番組を記録しておき、後で再度視聴したい場合がある。
【０００３】
データ放送サービスを含む番組をＤ−ＶＨＳ等の記録装置に記録しておくと、後でその番組を再生する時にデータ放送サービスを実行することができる。しかしながら、データ放送サービスを受信できる従来のデータ放送対応受信機では、番組が切り替わったとき、または一定期間、データ放送用データが受信されなくなったときには、それまでのデータ放送は終了してしまう。このような場合にも、それまでのデータ放送サービスを実行したい場合には、ビデオテープを巻き戻した後に、再度再生を行う必要がある。
【０００４】
【特許文献】特開２００１−５７５４２号公報
【０００５】
【発明が解決しようとする課題】
この発明は、記録装置に記録したデータ放送用データに基づいてデータ放送番組のサービスを実行する場合に、データ放送用データが一定期間以上受信されなくなっても、当該データ放送番組のサービスを継続して実行させることができるデータ放送対応受信機を提供することを目的とする。
【０００６】
【課題を解決するための手段】
請求項１に記載の発明は、データ放送番組のサービスを実行する機能を備えたデータ放送対応受信機において、記録装置からデータ放送用データを受信し、受信したデータ放送用データに基づいて当該データ放送番組のサービスを実行する場合に、データ放送用データが一定期間以上受信されなくなっても、当該データ放送番組のサービスを継続して実行させることを可能とする手段を備えていることを特徴とする。
【０００７】
請求項２に記載の発明は、請求項１に記載のデータ放送対応受信機において、記録装置からデータ放送用データを受信してモジュール格納メモリに格納する際に、受信したデータ放送用データから、当該データ放送番組データを構成する全コンポーネントに対応するモジュールを、重複しないように抽出してモジュール格納メモリに格納する手段、ならびに当該データ放送番組データを構成する全コンポーネントに対応するモジュールをモジュール格納メモリに格納したときに、記録装置の再生動作を停止させる手段を備えていることを特徴とする。
【０００８】
請求項３に記載の発明は、請求項１に記載のデータ放送対応受信機において、記録装置からデータ放送用データを受信してモジュール格納メモリに格納する際に、受信したデータ放送用データから、当該データ放送番組を構成するコンポーネントに対応するモジュールのうち、特定の１または複数のモジュールを抽出してモジュール格納メモリに格納する第１のモジュール抽出手段、上記特定の１または複数のモジュールをモジュール格納メモリに格納したときに、記録装置の再生動作を停止させる手段、モジュール格納メモリに格納されたモジュール以外の１または複数のモジュールが必要なときに、記録装置の再生動作を再開させて、当該必要な１または複数のモジュールの抽出およびモジュール格納メモリへの格納処理を行う第２のモジュール抽出手段、ならびに当該必要な１または複数のモジュールの抽出およびモジュール格納メモリへの格納が完了したときに、記録装置の再生動作を停止させる手段を備えていることを特徴とする。
【０００９】
請求項４に記載の発明は、請求項３に記載のデータ放送対応受信機において、上記第２のモジュール抽出手段は、再生中の番組の記録期間が終了したときには、上記特定の１または複数のモジュールを抽出するための再生開始位置に戻って再生を再開させる手段を備えていることを特徴とする。
【００１０】
請求項５に記載の発明は、請求項３乃至４に記載のデータ放送対応受信機において、上記特定の１または複数のモジュールは、当該データ放送番組の初期画面を提示させるために必要なモジュールであることを特徴とする。
【００１１】
【発明の実施の形態】
以下、図面を参照してこの発明の実施の形態について説明する。
【００１２】
〔１〕第１の実施の形態の説明
図１は、データ放送受信機の構成を示している。
【００１３】
受信データを記録する際の動作について説明する。
【００１４】
アンテナ１で受信されたデータは、復調部２によって復調される。復調部２によって得られたデータはＴＳ  ＤＥＭＵＸフィルタ３に送られ、ＴＳデータが抽出される。抽出されたＴＳデータは、ＰａｒｉａｌＴＳ生成部４に送られてＰａｒｉａｌＴＳ化された後に、Ｄ−ＶＨＳ  １０に送られて記録される。
【００１５】
次に、再生時の動作について説明する。
【００１６】
Ｄ−ＶＨＳ  １０によって再生されたＴＳデータは、ＴＳ  ＤＥＭＵＸフィルタ３に送られ、映像データ、音声データ、データ放送用データに分離される。映像データおよび音声データは、それぞれ図示しない復調ＩＣに送られて復調された後、図示しないモニタに送られる。データ放送用データは、ＤＳＭ−ＣＣ制御部５に送られる。ＤＳＭ−ＣＣは、Ｄｉｇｉｔａｌ  Ｓｔｏｒａｇｅ  Ｍｅｄｉａ  Ｃｏｍｍａｎｄ  ａｎｄ  Ｃｏｎｔｒｏｌ  の略である。
【００１７】
ＤＳＭ−ＣＣ制御部５は、受信したデータ放送用データから、ＤＩＩ（Ｄｏｗｎｌｏａｄ  Ｉｎｆｏ  Ｉｎｄｉｃａｔｉｏｎ）  と呼ばれる現在送信中のモジュールに関する情報を抽出する。ここで、モジュールとは、データ放送サービスでコンテンツを構成するファイルまたはファイル群をいう。１モジュールが１ファイルを構成する場合と、１モジュールが複数のファイルを構成する場合とがある。なお、１画面を構成するモジュール群はコンポーネントという単位でまとめられている。ＤＳＭ−ＣＣ制御部５は、ＤＩＩ  からモジュール数、モジュールサイズ等を認識した後、モジュールを抽出して、モジュール格納メモリ６に格納する。
【００１８】
ユーザによってデータ放送の起動指示が入力されると、ＤＳＭ−ＣＣ制御部５は、モジュール格納メモリ６から初期画面の提示に必要なモジュールを取得し、ＢＭＬ  ブラウザ７に送る。これにより、初期画面がモニタに表示される。この後においては、ＤＳＭ−ＣＣ制御部５は、ユーザの指示に応じたモジュールをモジュール格納メモリ６から取得して、ＢＭＬ  ブラウザ７に送る。これにより、データ放送サービスが実行される。
【００１９】
上述したように、従来においては、番組が切り替わったときや、一定期間、データ放送用データが受信されなくなったときには、それまでのデータ放送は終了してしまう。この実施の形態の受信機では、再生モードとして、一定期間、データ放送用データが受信されなくなったときでも、それまでのデータ放送を継続して実行できるデータ放送実行用特殊再生モードが設けられている。
【００２０】
データ放送実行用特殊再生モードにおいては、一定期間データ放送用データが受信されなくなったときでも、データ放送サービスを実行できるため、データ放送番組を構成する全コンポーネントのモジュールがモジュール格納メモリ６に一旦格納された後には、Ｄ−ＶＨＳ  １０の再生動作を継続させる必要はない。
【００２１】
そこで、この実施の形態では、データ放送実行用特殊再生モード時においては、データ放送番組を構成する全コンポーネントのモジュールがモジュール格納メモリ６に一旦格納された後には、Ｄ−ＶＨＳ  １０によって再生されたＴＳデータのＤＳＭ−ＣＣ制御部５による受信動作を停止させるとともに、Ｄ−ＶＨＳ  １０の再生動作を停止させるようにしている。
【００２２】
図２は、データ放送実行用特殊再生モード時においてモジュールをモジュール格納メモリ６に格納するための動作を示している。
【００２３】
データ放送実行用特殊再生モードによるＤ−ＶＨＳ  １０の再生動作が開始されると、ＤＳＭ−ＣＣ制御部５は、Ｄ−ＶＨＳ  １０によって再生されたＴＳデータをＴＳ  ＤＥＭＵＸフィルタ３に受信させるために、ＴＳ  ＤＥＭＵＸフィルタ３に受信開始を指示する（ステップ１）。そして、ＤＳＭ−ＣＣ制御部５は、ＴＳ  ＤＥＭＵＸフィルタ３によって分離されたデータ放送用データを受信して、全てのコンポーネントに対応するＤＩＩ  を取得するとともに、ＤＩＩ  に基づいて受信したデータ放送を構成するモジュールのモジュールリストを取得する（ステップ２）。
【００２４】
そして、取得したモジュールリストに基づいて、受信したＴＳ（データ放送用データ）から、必要なモジュールを重複しないように抽出してモジュール格納メモリ６に格納する（ステップ３）。必要な全てのモジュールを抽出してない場合には（ステップ４でＮＯ）、ステップ３に戻って、未抽出のモジュールの抽出およびモジュール格納メモリ６への格納を行う。
【００２５】
必要な全てのモジュールを抽出すると（ステップ４でＹＥＳ）、ＤＳＭ−ＣＣ制御部５は、ＴＳ  ＤＥＭＵＸフィルタ３に受信停止の指示を行う（ステップ５）。また、記録再生制御部８に対して再生停止を指示する（ステップ６）。これにより、Ｄ−ＶＨＳ  １０の再生動作が停止せしめられる。
【００２６】
〔２〕第２の実施の形態の説明
【００２７】
上述したように、データ放送実行用特殊再生モードにおいてＤ−ＶＨＳ  １０から再生されたデータ放送用データは、ＤＳＭ−ＣＣ制御部５でモジュール化された後、モジュール格納メモリ６に格納される。しかしながら、受信したデータ放送を構成する全てのコンポーネントに対応するモジュールのデータサイズが、モジュール格納メモリ６より大きい場合がある。
【００２８】
そこで、第２の実施の形態では、データ放送実行用特殊再生モードが設定されると、ＤＩＩ  に記述されているモジュールリストに基づいて、初期画面を提示するのに必要なモジュールのみを取得してモジュール格納メモリ６に格納する。初期画面を提示するのに必要なモジュールが取得された場合には、ＤＳＭ−ＣＣ制御部５にＴＳ  ＤＥＭＵＸフィルタ３に対して受信停止の指示を行う。また、記録再生制御部８から、Ｄ−ＶＨＳ  １０の再生動作の停止が指示される。
【００２９】
図３は、データ放送実行用特殊再生モードが設定された際に、初期画面を提示するのに必要なモジュールをモジュール格納メモリ６に格納するための動作を示している。
【００３０】
データ放送実行用特殊再生モードによるＤ−ＶＨＳ  １０の再生動作が開始されると、ＤＳＭ−ＣＣ制御部５は、Ｄ−ＶＨＳ  １０によって再生されたＴＳデータをＴＳ  ＤＥＭＵＸフィルタ３に受信させるために、ＴＳ  ＤＥＭＵＸフィルタ３に受信開始を指示する（ステップ２１）。そして、ＤＳＭ−ＣＣ制御部５は、ＴＳ  ＤＥＭＵＸフィルタ３によって分離されたデータ放送用データを受信して、ＤＩＩ  を取得するとともに、ＤＩＩ  に基づいて受信したデータ放送の初期画面の提示に必要なモジュールのリストを取得する（ステップ２２）。
【００３１】
そして、取得したモジュールリストに基づいて、受信したＴＳ（データ放送用データ）から、初期画面の提示に必要なモジュールを抽出してモジュール格納メモリ６に格納する（ステップ２３）。初期画面の提示に必要な全てのモジュールを抽出してない場合には（ステップ２４でＮＯ）、ステップ２３に戻って、初期画面の提示に必要なモジュールの抽出およびモジュール格納メモリ６への格納を行う。
【００３２】
初期画面の提示に必要な全てのモジュールを抽出すると（ステップ２４でＹＥＳ）、ＤＳＭ−ＣＣ制御部５は、ＴＳ  ＤＥＭＵＸフィルタ３に受信停止の指示を行う（ステップ２５）。また、記録再生制御部８に対して再生停止を指示する（ステップ２７）。これにより、Ｄ−ＶＨＳ  １０の再生動作が停止せしめられる。
【００３３】
初期画面の提示に必要なモジュールがモジュール格納メモリ６に格納された後に、ユーザによってデータ放送の起動指示が入力されると、ＤＳＭ−ＣＣ制御部５は、モジュール格納メモリ６から初期画面の提示に必要なモジュールを取得し、ＢＭＬ  ブラウザ７に送る。これにより、初期画面がモニタに表示される。
【００３４】
図４は、初期画面の一例を示している。
【００３５】
この例では、初期画面には、「○○ＣＨデータ放送へようこそ」という文字と、ＥＮＴＥＲボタンとが表示されている。ユーザが図示しないリモコン操作によって、フォーカス（カーソル）をＥＮＴＥＲボタンに合わせて決定キーを押すと、初期画面が消去され、他の画面を表示するための処理が行われる。
【００３６】
図５は、初期画面上または他の画面上において、他の画面に遷移するためのユーザ操作に基づいて画面遷移指令が入力された場合のＢＭＬ  ブラウザ７の動作を示している。
【００３７】
ＢＭＬ  ブラウザ７は、画面遷移指令が入力されると（ステップ３１）、その引数から次に表示すべき画面の提示に必要なモジュールのモジュール名を取得し（ステップ３２）、取得したモジュール名をＤＳＭ−ＣＣ制御部５に送信して、ＤＳＭ−ＣＣ制御部５にモジュール要求を行う（ステップ３３）。
【００３８】
図６は、ＢＭＬ  ブラウザ７からモジュール要求を受信した場合の、ＤＳＭ−ＣＣ制御部５の動作を示している。
【００３９】
ＤＳＭ−ＣＣ制御部５は、ＢＭＬ  ブラウザ７からモジュール名を受信すると（ステップ４１）、受信したモジュール名に対応するモジュールがモジュール格納メモリ６内に存在しているか否かを判別する（ステップ４２）。
【００４０】
受信したモジュール名に対応するモジュールがモジュール格納メモリ６内に存在している場合には、ＤＳＭ−ＣＣ制御部５は、モジュール格納メモリ６から対応するモジュールを取得して、ＢＭＬ  ブラウザ７に送る（ステップ４３）。
【００４１】
受信したモジュール名に対応するモジュールがモジュール格納メモリ６内に存在していない場合には、ＤＳＭ−ＣＣ制御部５は、ＴＳ  ＤＥＭＵＸフィルタ３に受信開始を指示する（ステップ４４）とともに記録再生制御部８に再生を指示する（ステップ４５）。これにより、Ｄ−ＶＨＳ  １０の再生動作が再開される。
【００４２】
ＤＳＭ−ＣＣ制御部５は、ＴＳ  ＤＥＭＵＸフィルタ３によって分離されたデータ放送用データを受信してモジュールを抽出する（ステップ４６）。そして、抽出したモジュールが要求対象のモジュールであるか否かを判別する（ステップ４７）。抽出したモジュールが要求対象のモジュールでない場合には、再生中の番組の記録期間が過ぎたか否かを判別する（ステップ４８）。再生中の番組の記録期間が過ぎていない場合には、ステップ４６に戻る。
【００４３】
上記ステップ４８において、再生中の番組の記録期間が過ぎたと判別した場合には、ＤＳＭ−ＣＣ制御部５は、再生開始位置（データ放送実行用特殊再生モード時による再生指令に基づいて、最初に再生を開始した位置）まて巻き戻してから、再生を再開させるための、指令を記録再生制御部８に与える（ステップ４９）。そして、ステップ４６に戻る。
【００４４】
上記ステップ４７において、抽出したモジュールが要求対象のモジュールである場合には、ＤＳＭ−ＣＣ制御部５は、そのモジュールをモジュール格納メモリ６内に格納するとともに、格納した当該モジュールを取得して、ＢＭＬ  ブラウザ７に送る（ステップ５０）。そして、ＤＳＭ−ＣＣ制御部５は、ＴＳ  ＤＥＭＵＸフィルタ３に受信停止の指示を行う（ステップ５１）。また、記録再生制御部７にＤ−ＶＨＳ  １０の再生動作の停止を指示する（ステップ５２）。これにより、Ｄ−ＶＨＳ  １０の再生動作が停止せしめられる。
【００４５】
【発明の効果】
この発明によれば、記録装置に記録したデータ放送用データに基づいてデータ放送番組のサービスを実行する場合に、データ放送用データが一定期間以上受信されなくなっても、当該データ放送番組のサービスを継続して実行させることができるようになる。
【図面の簡単な説明】
【図１】データ放送受信機の構成を示すブロック図である。
【図２】データ放送実行用特殊再生モード時においてモジュールをモジュール格納メモリ５に格納するための動作を示すフローチャートである。
【図３】データ放送実行用特殊再生モードが設定された際に、初期画面を提示するのに必要なモジュールをモジュール格納メモリ６に格納するための動作を示すフローチャートである。
【図４】初期画面の一例を示す模式図である。
【図５】初期画面上または他の画面上において、他の画面に遷移するためのユーザ操作に基づいて画面遷移指令が入力された場合のＢＭＬ  ブラウザ７の動作を示すフローチャートである。
【図６】ＢＭＬ  ブラウザ７からモジュール要求を受信した場合の、ＤＳＭ−ＣＣ制御部５の動作を示すフローチャートである。
【符号の説明】
１  アンテナ
２  復調部
３  ＴＳ  ＤＥＭＵＸフィルタ
４  ＰａｒｉａｌＴＳ生成部
５  ＤＳＭ−ＣＣ制御部
６  モジュール格納メモリ
７  ＢＭＬ  ブラウザ
８  記録再生制御部
１０  Ｄ−ＶＨＳ
【図１】
2004153697.tif 000003
【図２】
2004153697.tif 000004
【図３】
2004153697.tif 000005
【図４】
2004153697.tif 000006
【図５】
2004153697.tif 000007
【図６】
2004153697.tif 000008
【手続補正書】
【提出日】平成14年11月28日(2002.11.28)
【手続補正１】
【補正対象書類名】明細書
【補正対象項目名】００１４
【補正方法】変更
【補正の内容】
【００１４】
アンテナ１で受信されたデータは、復調部２によって復調される。復調部２によって得られたデータはＴＳ  ＤＥＭＵＸフィルタ３に送られ、ＴＳデータが抽出される。抽出されたＴＳデータは、Ｐａｒｔｉａｌ  ＴＳ生成部４に送られてＰａｒｔｉａｌ  ＴＳ化された後に、Ｄ−ＶＨＳ  １０に送られて記録される。


【手続補正２】
【補正対象書類名】明細書
【補正対象項目名】符号の説明
【補正方法】変更
【補正の内容】
【符号の説明】
１  アンテナ
２  復調部
３  ＴＳ  ＤＥＭＵＸフィルタ
４  Ｐａｒｔｉａｌ  ＴＳ生成部
５  ＤＳＭ−ＣＣ制御部
６  モジュール格納メモリ
７  ＢＭＬ  ブラウザ
８  記録再生制御部
１０  Ｄ−ＶＨＳ